(57)【要約】    【課題】  イオントラップ１０からのイオンの放出において、エンドキャップ電極３２，３３に高電圧を印加した際に、リング電極３１に電圧変動が発生するのを防ぎ、質量／電荷比の異なるイオンを同一のエネルギーに加速する。    【解決手段】  リング電極３１とエンドキャップ電極３２，３３との間の静電容量を、エンドキャップ電極に印加する電圧の大きさに反比例するように調整し、リング電極３１に電荷が誘起されるのを防ぎ、イオン放出時のリング電極３１の電圧変動を防止する。【選択図】  図３
2005183280.tif 000002
【特許請求の範囲】
【請求項１】
リング電極と、その両側にエンドキャップ電極を備えたイオントラップ装置において、
前記エンドキャップ電極に電圧を印加して電極群に囲まれた空間に捕捉されたイオンを排出する際に、前記リング電極の電圧変動を防止するように、
前記リング電極と各エンドキャップ電極間の静電容量を調整する調整手段を設けた、ことを特徴とするイオントラップ装置。
【請求項２】
調整手段が、前記リング電極と前記エンドキャップ電極間に接続されたコンデンサである、ことを特徴とする請求項１記載のイオントラップ装置。
【請求項３】
調整手段が、電極の形状の変化により実現されている、ことを特徴とする請求項１記載のイオントラップ装置。
【請求項４】
請求項１乃至３に記載のイオントラップ装置において、
前記リング電極と前記各エンドキャップ電極間の静電容量が、前記エンドキャップ電極に印加される電圧の大きさに反比例するように調整されている、ことを特徴とするイオントラップ装置。
【請求項５】
請求項１乃至４に記載のイオントラップ装置において、
排出されたイオンは、飛行時間質量分析器に導入される、ことを特徴とするイオントラップ装置。
【発明の詳細な説明】
【技術分野】
【０００１】
本発明は、イオントラップ装置に関する。より詳細には、イオントラップ質量分析装置や、イオントラップをイオン源として利用する飛行時間質量分析装置などに関する。
【背景技術】
【０００２】
イオントラップ装置の多くは、三次元四重極イオントラップと呼ばれるイオン蓄積装置で、回転双曲面形状を有するリング電極と、その両側に配置されたエンドキャップ電極とにより構成される。通常、リング電極に高周波電圧を印加することにより、前記電極群に囲まれた内部の空間（イオン捕捉空間）に四重極電場を発生させてイオンを閉じ込める。捕捉されたイオンは、質量／電荷比に応じて運動状態が異なるため、これを利用することによってイオン種の選別や分解などの操作が行われる。
【０００３】
イオントラップ装置は、それ自体が質量分析装置として機能するものもあるが、他の分析装置へイオンを供給するためのイオン発生装置として使用される場合もある。例えば、非特許文献１には、三次元四重極イオントラップを飛行時間質量分析器の前段に配して、全体として多段の質量分析を行う装置が提案されている。この装置では、四重極イオントラップで多段の質量分析を行った後に、高分解能の飛行時間質量分析器を用いて質量スペクトルを形成することができる。
【０００４】
このように、イオントラップ装置を、飛行時間質量分析器などの他の分析器の前段に配してイオンの分析を逐次処理することで、新たな特徴を生かした装置が生み出されている。しかし、イオントラップ装置から他の分析器にイオンを移送する際に、イオントラップ装置の動作パラメータが、次段の分析器の性能に影響を及ぼすことがある。例えば、イオンを捕捉するためにリング電極に印加されている高周波電圧によって、次段の分析器に移送する際のイオンの初期エネルギーが変化してしまうことがある。また、イオンの排出のためにエンドキャップ電極に印加された高電圧が、リング電極にスパイク状の電圧パルスを発生させて、イオンの初期エネルギーが変化してしまうこともある。
【０００５】
四重極イオントラップと飛行時間質量分析器とを組み合わせた装置を例に説明する。イオンが捕捉されている状態では、リング電極に印加されている高周波電圧によってイオンは常に運動を続けている。イオンを飛行時間質量分析器へと排出する時には、イオントラップの各電極にイオン引き出しに適した電圧をそれぞれ印加してイオンを飛行時間質量分析器へ向けて加速する。具体的には、特許文献１に開示されているように、イオン排出時にリング電極を0Vにし、さらに、二つのエンドキャップ電極にはそれぞれ+6kVと-10kVの電圧を印加して、正イオンを-10kVを印加したエンドキャップ電極に向けて加速し、その電極の中央部に開けられた開口部から飛行時間質量分析器へと排出する。
【０００６】
特許文献２には、イオントラップからのイオンの排出に先立ち、高周波電圧を減少させる方法、すなわち高周波電圧を停止させて、リング電極を0Vにする方法が記述されている。
【０００７】
また、特許文献３には、高周波電圧を停止させるのに要する時間を短縮する方法が開示されている。これらの手法を用いれば、イオン排出時のリング電極の電圧を、排出前の高周波電圧の大きさによらずに、0Vにすることができるため、飛行時間質量分析器へ向けて加速されるイオンの初期エネルギーを変化させてしまうことがない。すなわち、エンドキャップ電極に高電圧を印加してイオンを加速する前に、リング電極と二つのエンドキャップ電極の電圧を、一旦すべて0Vにすることができるため、イオン捕捉時のイオントラップの動作パラメータからの影響をなくすことができる。
【０００８】
一方、エンドキャップ電極に高電圧を印加した際には、リング電極にスパイク状の電圧パルスが発生し、飛行時間質量分析器へ排出されるイオンの初期エネルギーが変化してしまう。このため、飛行時間がイオンの質量／電荷比の平方根に比例せず、質量／電荷比の複雑な関数になってしまうため、飛行時間スペクトルの質量軸の正確な校正ができなくなってしまうことになる。
【特許文献１】米国特許第6,380,666号公報
【特許文献２】米国特許第6,483,244号公報
【特許文献３】日本特許出願第2003-402065号
【非特許文献１】M. G. Qian and D. M. Lubman, Analytical Chemistry, vol.67, No.7, 1995, p.234A
【発明の開示】
【発明が解決しようとする課題】
【０００９】
先行例において、イオン排出直前の各電極の電圧を0Vにそろえることは可能となっているが、イオン排出用の高電圧の印加に伴うリング電極の電圧の変動については解決されていない。
【００１０】
通常の四重極イオントラップにおいては、リング電極を中心にして、二つのエンドキャップ電極が対称になるように製作される。この理由の一つに、イオントラップ内部で、質量／電荷比に基づいたイオンの選別や、イオンの振動を励起して解離させる等の手法を用いて、MS/MSと呼ばれる質量分析手法を実行する際に、二つのエンドキャップ電極に印加する電圧波形の振幅を符号は別にして等しくできるという実用面での簡便性が挙げられる。
【００１１】
また、電極の表面形状を、四重極電場の等電位面のどれかに一致するように選べば、理論上は正しいイオン捕捉用の四重極電場を発生することはできる。しかし、異なる形状の電極を加工する際、製作誤差に起因する非対称性が発生しやすく、また電極端部で発生する電場の乱れの大きさも異なるため、イオン捕捉用の四重極電場に重畳する多重極電場の発生量が増加し、イオンの分離や解離の性能を劣化させてしまう可能性が有る。
【００１２】
リング電極に対して対称に製作されたエンドキャップ電極では、各エンドキャップ電極との間に形成される静電容量も等しくなるため、各エンドキャップ電極に、先行例で見られる+6kVと-10kVのように、大きさの異なる電圧を印加した場合には、リング電極に異なる大きさの電荷が誘起されることになり、リング電極の電圧が0Vから変化してしまう。この電圧は、先行例に見られる手法によって減衰させることはできるが、減衰にマイクロ秒程度の時間を要するため、リング電極にスパイク状の電圧パルスを発生することになる。
【００１３】
このように、イオンが加速されてイオントラップから放出される過程において、リング電極の電圧が変化するため、イオントラップ内部に形成されるイオン加速用の電場は、時間と共に変化することになる。質量／電荷比の小さいイオンは、早く加速されてイオントラップから放出されるが、質量／電荷比の大きいイオンは、より長い加速時間を要するため、イオン加速用の電場はより大きく変化している。このため、質量／電荷比の異なるイオンは、異なる電場で加速されることになり、イオントラップから放出された後のエネルギーに違いが生じてしまう。したがって、リング電極に発生するスパイク状の電圧パルスによって、飛行時間質量分析器へ排出されるイオンの初期エネルギーは変化し、飛行時間は理論どおりにイオンの質量／電荷比の平方根に比例はせず、質量／電荷比の複雑な関数になり、飛行時間スペクトルの質量軸の正確な校正ができなくなる。
【００１４】
一方、エンドキャップ電圧に印加される電圧は、およそ数十ナノ秒程度の間に完了する。このため、エンドキャップ電極の電圧変化が始まってから完了するまでの間に、全てのイオンはほとんどその位置を変えない。このため、もしもリング電圧を0Vからずれないようにできれば、質量／電荷比の異なる全てのイオンは、等しい加速エネルギーを得ることができ、飛行時間は、理論どおりにイオンの質量／電荷比の平方根に比例することになる。したがって、飛行時間スペクトルの質量軸の正確な校正を行うためには、イオンをイオントラップから放出する際に、エンドキャップ電極に大きさの異なる高電圧を印加した際にも、リング電極にスパイク状の電圧パルスを発生しないようにすることが必要である。
【課題を解決するための手段】
【００１５】
本発明は、上記課題を解決するためになされたものであり、その手段として、次のようなイオントラップ装置を提供する。すなわち、リング電極と、その両側にエンドキャップ電極を備えたイオントラップ装置において、前記エンドキャップ電極に電圧を印加して電極群に囲まれた空間に捕捉されたイオンを排出する際に、前記リング電極の電圧変動を防止するように、前記リング電極と前記各エンドキャップ電極間の静電容量を調整する調整手段を設けたことを特徴とする。
【００１６】
さらに、リング電極とエンドキャップ電極間の静電容量の調整手段が、リング電極とエンドキャップ電極間に接続されたコンデンサであることを特徴とする。
【００１７】
あるいは、リング電極とエンドキャップ電極間の静電容量の調整手段が、電極の形状の変化により実現されている、ことを特徴とする。
【００１８】
さらに、上記イオントラップ装置において、リング電極とエンドキャップ電極間の静電容量が、エンドキャップ電極に印加される電圧の大きさに反比例するように調整されている、ことを特徴とする。
【発明の効果】
【００１９】
本発明においては、イオントラップからのイオンの放出において、エンドキャップ電極に高電圧を印加した際に、リング電極に電圧変動が発生するのを防ぎ、質量／電荷比の異なるイオンを同一のエネルギーに加速する。これにより、イオントラップから放出されたイオンを利用する分析器の性能が、イオンの捕捉に用いる高周波電圧などのイオントラップの動作パラメータによる影響を受けるのを防ぐことができる。
【発明を実施するための最良の形態】
【００２０】
図１はイオントラップを構成する三つの電極と、各電極に電圧を印加する電圧源を簡略に表示したものである。イオンを蓄積する際には、リング電極１１には高周波電圧が印加されており、両側のエンドキャップ電極１２，１３は、通常グランド電位（0V）に近い値に保たれている。イオンを放出する前には、特許文献２や特許文献３に開示されている手法などを用いて、高周波電圧を停止して、リング電極１１をグランド電位に切り替える。この後、エンドキャップ電極１２，１３のそれぞれに、例えば+6kVと-10kVの電圧を印加して、イオンを加速し、エンドキャップ電極１３の開口部１３ａから放出する。リング電極１１と各エンドキャップ電極１２，１３との間の静電容量を、それぞれ仮に10pFであるとすると、高電圧を印加した際に、各エンドキャップ電極１２，１３によってリング電極１１に誘起される電荷は、それぞれ60nCと-100nCになり、差し引き-40nCの電荷がリング電極１１に誘起されることになる。仮に、リング電極１１の全容量を100pFとすると、リング電極１１の電圧は、エンドキャップ電極１２，１３に高電圧を印加する前には0Vであったのに対して、およそ-400Vに変化する。特許文献２や特許文献３に開示されている手法などを用いていれば、このリング電極１１に誘起された電圧も、数マイクロ秒程度で0Vに減衰する。しかし、イオンの放出に要する時間に比べて、無視できるほど短くはない。このため、小さい電圧、すなわち+6kVを印加するエンドキャップ電極１２と、リング電極１１との間に、コンデンサ６０を接続する。このコンデンサ６０により、+6kVを印加するエンドキャップ電極１２によってリング電極１１に誘起される電荷を+40nC増加させることにより、全体として、リング電極１１へ電荷が誘起されるのを防ぐことができる。したがって、リング電極１１の電圧は、エンドキャップ電極１２，１３への高電圧の印加の影響を受けずに常にグランド電位（0V）のままであり、質量／電荷比の異なるイオンもすべて等しいエネルギーで、イオントラップから放出される。このため、飛行時間分析器の性能を劣化させることなく、イオンの放出が可能となる。
【００２１】
+6kVを印加するエンドキャップ電極１２とリング電極１１との間に接続されるコンデンサ６０の容量値は、この例においては+40nCの電荷を誘起する必要があるために、6.67pFが適当である。したがって、リング電極１１と各エンドキャップ電極１２，１３との間の容量値は、それぞれ16.67pFと10pFとなり、各エンドキャップ電極１２，１３に印加する電圧の大きさ（本例では6kVと10kV）とは反比例の関係になる。
【００２２】
ただし、このコンデンサの容量値については、実際の電極間の静電容量や、イオン放出時にエンドキャップ電極に印加する高電圧の値によって異なるため、リング電極に電荷が誘起されて電圧変動を生じないように、使用する装置に応じて適当な容量値を選定する必要がある。
【００２３】
図１に示した例においては、リング電極１１に誘起される電荷を調整するためにコンデンサ６０を追加したが、イオントラップ内部の電界に影響を及ぼさないようにすれば、図２に示すように、片側のエンドキャップ電極１２’とリング電極１１との間に余分の静電容量を発生するように電極の形状を変形して、リング電極１１に誘起される電荷量を制御することも可能である。
【実施例】
【００２４】
以下、本発明の一実施例であるイオントラップ装置について、図面を参照しながら詳細に説明する。
【００２５】
図３は、イオントラップ１０をイオン蓄積装置として用いた質量分析装置の要部の構成図である。イオントラップ１０は、一つのリング電極３１と二つの対向するエンドキャップ電極３２，３３により構成されている。リング電極３１には高周波駆動源４１によって励起された高周波電圧が印加され、一対のエンドキャップ電極３２，３３との間に形成される四重極電場によってイオン捕捉空間１４を形成し、そこにイオンを捕捉する。エンドキャップ電極３２，３３にはそれぞれエンドキャップ電圧発生器１５，１６が接続されており、各分析ステップに応じて適当な電圧をエンドキャップ電極３２，３３に印加する。
【００２６】
例えばMALDI（Matrix-Assisted Laser Desorption/Ionization）イオン源２０で発生させたイオンをイオントラップ１０へ導入する時には、入射するイオンのエネルギーを減衰させるための電圧が印加される。また、飛行時間質量分析器３０（TOFMS, Time Of Flight Mass Spectrometer）により質量分析を行う場合には、イオン捕捉空間１４からイオンを加速して飛行時間分析器３０へと放出するようにエンドキャップ電極３２，３３に電圧が印加される。さらにまた、イオントラップ１０内部でイオンの選別や解離を行わせる場合には、イオン捕捉空間１４に、高周波電圧により生成されたイオン捕捉用四重極電場に重畳して、イオンの選別や励起に用いるための電場を生成するべく電圧が印加される。
【００２７】
リング電極３１に高周波電圧を印加するためのリング電圧発生器４０の一部として、リング電極３１にはコイル４２が接続されており、基本的にはこのコイル４２と、リング電極３１とエンドキャップ電極３２，３３との間の静電容量とで、ＬＣ共振器を形成している。エンドキャップ電極３２とリング電極３１との間には、さらにコンデンサ６０が接続されており、この容量も前記静電容量に含まれる。厳密にいうと、それら電極３１，３２，３３間の静電容量のみならず、高周波電圧の電圧モニタ回路（図示せず）や同調回路４３、スイッチ４６，４７の容量、配線などの容量の総和とコイル４２のインダクタンスとで共振周波数が決定される。
【００２８】
ＬＣ共振器の駆動方法にはトランスを用いたものなど、各種の方式が存在するが、ここではコイル４２の一端を直接高周波駆動源４１で駆動する方法を採用している。高周波駆動源４１の駆動電圧の周波数は500kHzに固定されており、同調回路４３を調整することにより、ＬＣ共振器の共振周波数を500kHz近傍に合わせ、共振による増幅を行って高周波電圧を発生させる。本実施例では、同調回路４３には真空可変コンデンサを使用し、その容量を変化させることにより同調を達成している。もちろん、これ以外にも、例えばフェライトコア等を用いてコイル４２のインダクタンスを変化させることにより同調を達成する構成としてもよい。
【００２９】
リング電極３１には、さらにスイッチ４６，４７と抵抗４８，４９を介して高電圧電源４４，４５が図３のように接続されている。これらは、イオントラップ１０へのイオン導入時の高周波電圧の急速な立ち上げや、イオントラップ１０からのイオン放出時の高周波電圧の停止に利用されている。ただし、イオン放出時に高周波電圧を停止しようとしても、実際には高周波電圧は瞬時に停止することはなく、所定の時定数で指数関数的に減衰していく。
【００３０】
分析の過程において、イオンがイオン捕捉空間１４に導入され、イオンの選別や励起、解離などの必要な処理を行った後に、イオンの放出を行う。このとき、リング電極１１には、分析対象とするイオンの質量範囲に応じて、適当な大きさの高周波電圧が印加されている。そこで、スイッチ４６，４７を同時に接続（ＯＮ）状態に切り替えると同時に、高周波駆動源４１の出力を0Vにする。この操作により、リング電極３１は抵抗４８，４９を介して高電圧電源４４，４５に接続され、スイッチ４６，４７の切り替え以前に印加されていた高周波電圧は、指数関数的に減衰する。次に、高周波電圧が充分に減衰したタイミングにおいて、エンドキャップ電圧発生器１５，１６から、エンドキャップ電極３２，３３に、イオン引出し用の高電圧を印加し、エンドキャップ電極３３の開口部３３ａから飛行時間質量分析器３０へとイオンを加速して引き出す。本実施例では、スイッチ４６，４７の切り替えからおよそ3μs後に、エンドキャップに高電圧を印加してイオンの引出しを行っている。制御部５０は上記のような各種の分析を実行するために、リング電圧発生器４０やエンドキャップ電圧発生器１５，１６の動作を制御する。
【００３１】
本実施例においては、コンデンサ６０の静電容量を7.5pFとし、イオン放出時のエンドキャップ電極３２，３３の電圧をそれぞれ+5.54kV,-10kVとしている。これにより、エンドキャップ電圧発生器１５，１６からエンドキャップ電極３２，３３に高電圧を印加してイオンの放出を行う際に、リング電極３１に生じるスパイク状の電圧を、ピーク値で5V以下に抑えることができる。
【００３２】
このように、リング電極３１の電圧変動が大幅に減少されたため、特に質量／電荷比の小さなイオンの放出エネルギーへ与える影響を小さくすることができ、飛行時間質量分析器３０で得られるスペクトルにおいて、分解能や感度を改善することができた。
【００３３】
上記の一実施例においては、リング電極３１とエンドキャップ電極３２との間にコンデンサ６０が接続されているが、図２に示されているように、コンデンサを接続する替わりに、電極の形状を変形して電極間の静電容量を変化させることによって、イオン放出時のリング電極の電圧変動を抑制するように調整してもかまわない。
【００３４】
あるいは、電極の形状の変形と、コンデンサの接続を併用しても同様の効果が得られることは明らかである。
【００３５】
上記実施例や説明においては、説明のために回路内の一部をグランドに接続していたが、イオントラップ１０内部の四重極電場の発生と、スイッチ４６，４７を切り替えることによって高周波電圧を減衰させ、さらに電極間にイオン引出し用の電界を発生することができるかぎり、回路内のどの部分がグランドに接続されていても、あるいは、グランド電位に固定されていなくてもかまわない。
【００３６】
また、上記実施例においては、高周波駆動源４１が直接コイル４２に接続されていたが、コイルの駆動方法は、例えばトランス結合によるものでもかまわない。
【図面の簡単な説明】
【００３７】
【図１】本発明の動作原理を説明するための、イオントラップの要部の構成図である。
【図２】本発明の機能を実現するために、イオントラップの電極の形状を変形した場合の構成図である。
【図３】本発明の一実施例である、イオントラップをイオン蓄積装置として用いた質量分析装置の要部の構成図である。
【符号の説明】
【００３８】
１０…イオントラップ
１１，３１…リング電極
１２，１２'，１３，３２，３３…エンドキャップ電極
１３ａ，３３ａ…開口部
１４…イオン捕捉空間
１５，１６…エンドキャップ電圧発生器
２０…イオン源
３０…飛行時間質量分析器
４０…リング電圧発生器
４１…高周波駆動源
４２…コイル
４３…同調回路
４４，４５…高電圧電源
４６，４７…スイッチ
４８，４９…抵抗
５０…制御部
６０…コンデンサ
【図１】
2005183280.tif 000003
【図２】
2005183280.tif 000004
【図３】
2005183280.tif 000005